(57)【要約】      （修正有）【課題】より快適な状態で使用することができるマッサージ機を提供する。【解決手段】着座可能な座部１２の後部に背もたれ部１３を備えるものであり、使用者の身体をマッサージするマッサージ手段にて使用者をマッサージするマッサージ機であって、背もたれ部１３は、硬質部材からなる背もたれ本体２１と、この背もたれ本体２１の少なくとも前面を覆う態様で固定されるとともに背もたれ本体２１の外周縁部２１ａよりも外側に迫り出す態様のカバー部３１とを有する。【選択図】図３
2011250840.tif 000002
【特許請求の範囲】
【請求項１】
使用者が着座可能な座部の後部に背もたれ部を備えるものであり、前記使用者の身体をマッサージするマッサージ手段にて前記使用者をマッサージするマッサージ機であって、
前記背もたれ部は、硬質部材からなる背もたれ本体と、該背もたれ本体の少なくとも前面を覆う態様で固定されるとともに前記背もたれ本体の外周縁部よりも外側に迫り出す態様のカバー部とを有することを特徴とするマッサージ機。
【請求項２】
請求項１に記載のマッサージ機において、
前記カバー部は、前記使用者の背部を４点で支持すべく、その左右方向両側及び上下方向両側が左右方向中央側及び上下方向中央側よりも突出する形状とされたことを特徴とするマッサージ機。
【請求項３】
請求項１又は２に記載のマッサージ機において、
前記背もたれ本体は、前記カバー部が設けられる使用者側の前側部材と、該前側部材の後側開口部を閉塞する後側部材とを有し、
前記カバー部の前面に配置可能な枕部が備えられ、該枕部はその後端が前記前側部材の上面後端部に固定され、その固定部分から前記前側部材の上面を亘って前記カバー部の前面まで取り回し、枕部の前端側にクッション材が内包されて位置変更可能に構成されたことを特徴とするマッサージ機。
【発明の詳細な説明】
【技術分野】
【０００１】
本発明は、マッサージ機に関するものである。
【背景技術】
【０００２】
従来、例えば特許文献１に示されるように、着座可能な座部の後部に背もたれ部が設けられた椅子型を成すマッサージ機が広く知られている。
特許文献１のマッサージ機では、背もたれ部内部に揉み玉を有するマッサージ機構が設けられるとともに、このマッサージ機構によって使用者の身体をマッサージするようになっている。
【０００３】
ところで、マッサージ機の背もたれ部は前記マッサージ機構の保護などのため硬質の樹脂材料からなる背もたれ本体と、この背もたれ本体の前面側にクッション材等からなるカバー部とを備えたものがある。
【先行技術文献】
【特許文献】
【０００４】
【特許文献１】特開２００１−２７６１５８号公報
【発明の概要】
【発明が解決しようとする課題】
【０００５】
ところで、上記のようなマッサージ機では、背もたれ本体にカバー部を設けているが、例えば背もたれ本体から着脱可能な構成である場合、使用者がカバー部の着脱を行う内に背もたれ本体に対して所望の位置からずれる虞がある。これによって、硬質部材からなる背もたれ本体の前面側露出されることがあるため、マッサージ機に着座した使用者に対してクッション材を有するカバー部以外の部材（背もたれ本体）が接触してしまう虞がある。このため、マッサージ状態並びに単に着座した状態においての快適性の面で更なる改善が望まれている。
【０００６】
本発明は、上記課題を解決するためになされたものであって、その目的は、より快適な状態で使用することができるマッサージ機を提供することにある。
【課題を解決するための手段】
【０００７】
上記課題を解決するために、本発明のマッサージ機は、使用者が着座可能な座部の後部に背もたれ部を備えるものであり、前記使用者の身体をマッサージするマッサージ手段にて前記使用者をマッサージするマッサージ機であって、前記背もたれ部は、硬質部材からなる背もたれ本体と、該背もたれ本体の少なくとも前面を覆う態様で固定されるとともに前記背もたれ本体の外周縁部よりも外側に迫り出す態様のカバー部とを有すること特徴とする。
【０００８】
上記構成において、カバー部は、使用者の背部を４点で支持すべく、その左右方向両側及び上下方向両側が左右方向及び上下方向中央側よりも突出する形状とされることが好ましい。
【０００９】
上記構成において、背もたれ本体は、前記カバー部が設けられる使用者側の前側部材と、該前側部材の後側開口部を閉塞する後側部材とを有し、前記カバー部の前面に配置可能な枕部が備えられ、該枕部はその後端が前記前側部材の上面後端部に固定され、その固定部分から前記前側部材の上面を亘って前記カバー部の前面まで取り回し、枕部の前端側にクッション材が内包されて位置変更可能に構成されることが好ましい。
【発明の効果】
【００１０】
本発明によれば、より快適な状態で使用することができるマッサージ機を提供することにある。
【図面の簡単な説明】
【００１１】
【図１】本実施形態におけるマッサージ機の概略構成図である。
【図２】同上におけるマッサージ機の側面図である。
【図３】同上におけるマッサージ機の正面図である。
【図４】操作部の正面図である。
【図５】マッサージ機の電気的構成を説明するためのブロック図である。
【発明を実施するための形態】
【００１２】
以下、本発明を具体化した一実施形態を図面に従って説明する。
図１は、本実施形態のマッサージ機１０を示す。本実施形態のマッサージ機１０は、左右一対の支持脚部１１（１つのみ図示）にて支持された座部１２の後部に背もたれ部１３が幅方向の回動軸にて傾動可能に組み付けられるとともに、座部１２の前部にオットマン１４が同方向の回動軸にて傾動可能に組み付けられている。また、座部１２の両側には、前後方向に延びる肘掛け部１５が組み付けられている。
【００１３】
座部１２の下側には、図２に示すように背もたれ部１３を傾動させるためのリクライニング機構１６が備えられており、そのリクライニング機構１６のモータ１６ａの駆動により背もたれ部１３のリクライニングがなされるようになっている。また、オットマン１４についても、座部１２の下側にオットマン１４の上下動機構１７（図５参照）が備えられるとともに、この上下動機構１７の駆動によりオットマン１４が上下動されるようになっている。
【００１４】
背もたれ部１３は、硬質樹脂材料からなり内部の収容空間にメカマッサージ機構２０を収容する背もたれ本体２１と、この背もたれ本体２１の前面に一体固定されるカバー部３１とを有している。
【００１５】
背もたれ本体２１は、硬質樹脂材料からなり前面が上下方向に長く開口された略矩形状の開口部（図示略）を有するバックボード２２と、このバックボード２２の背面側に取り付けられるバックカバー２３とを有している。また背もたれ本体２１は、その左右（幅）方向長さが座部１２の左右方向長さと略一致若しくは若干小さい形状とされて、図３に示すように正面視において各肘掛け部１５の左右方向内側に配置されている。図２に示すように、背もたれ本体２１は、バックボード２２及びバックカバー２３の間に収容され所定部位に取り付けられる略長方形状の機構部フレーム（図示略）を有している。
【００１６】
前記機構部フレームには、その長手方向（上下方向）の内側面に、メカマッサージ機構２０がスライド可能に組み込まれるガイドレール２０ｂが形成されている。メカマッサージ機構２０は、メカマッサージ機構２０に組み付けられる駆動モータ（図示略）により上下動される。メカマッサージ機構２０には、幅方向の回転軸にて連結されたもみ玉２０ａが対で備えられ、その駆動モータ又は別途設けられた駆動モータによりその一対の揉み玉２０ａが幅（左右）方向及び前後方向に駆動させる。このようにメカマッサージ機構２０の上下動に加えて、揉み玉２０ａの幅方向及び前後方向の動作がメカマッサージ機構２０と電気的に接続される制御部６０によって組み合わされることで、揉み玉２０ａによる３次元の施療動作が行われるようになっている。
【００１７】
また、本実施形態のマッサージ機１０には、背もたれ部１３やオットマン１４等に膨縮動作可能なエアバッグによりなるエアマッサージ機構２５（図５参照）が設けられている。エアマッサージ機構２５は、制御部６０によって制御される図示しないエアポンプからの空気の給排気によってエアバッグが膨縮動作されるようになっている。
【００１８】
背もたれ本体２１の前面に設けられるカバー部３１は、前記背もたれ本体２１のバックボード２２の開口部以外の前面略全体を覆う第１カバー部材３２と、この第１カバー部材３２の上側前面に配置される第２カバー部材３３と、この第１カバー部材３２の下側前面の左右方向中央部において前記バックボード２２の開口部を閉塞する第３カバー部材３４とを有している。これら各カバー部材３２，３３，３４にはスポンジ状部材が表皮材にて覆われて構成されている。
【００１９】
また、カバー部３１は、図３に示すように、正面視において背もたれ本体２１の外周縁部２１ａよりも上方向に迫り出すとともに、左右方向においてもその大半が前記外周縁部２１ａよりも迫り出す形状をなしている。
【００２０】
具体的には、背もたれ本体２１の前面の上下方向全体に亘って配設される第１カバー部材３２は、その下方側の肘掛け部１５との対向部位における左右方向長さ（幅）が前記背もたれ本体２１の左右方向長さ（幅）と略同一とされ、それよりも上側の左右方向長さが前記背もたれ本体２１の左右方向長さよりも広い態様で構成されている。このよう第１カバー部材３２の肘掛け部１５との対向部位を背もたれ本体２１の左右方向長さと略同一とすることで、肘掛け部１５と第１カバー部材３２との干渉をさけることができるようになっている。また、第１カバー部材３２の肘掛け部１５との対向部位よりも上側を背もたれ本体２１の左右方向長さよりも広く、つまり外周縁部２１ａより左右方向に迫り出す形状とされるため、使用者が背もたれ本体２１の前面と接触することを抑えることができるようになっている。
【００２１】
第１カバー部材３２は、その下方側における左右方向両側に左右方向中央部よりも前面側に突出する凸部３２ａが形成されている。
第２カバー部材３３は、第１カバー部材３２上における左右方向中心側で縫合されて一体形成されるとともに、それよりも外側は固定されておらず所定量の離間が可能に構成されている。また、第２カバー部材３３は、その上方側における左右方向両側に左右方向中央部よりも前面側に突出する凸部３３ａが形成されている。なお、この凸部３３ａ及び前記凸部３２ａは、凸部３３ａ及び凸部３２ａ間よりも前面側に突出した形状とされている。このため、計４箇所形成される凸部３２ａ，３３ａにて使用者の背部を４点で支持するため使用者の身体のずれを抑えることが可能とされている。
【００２２】
第３カバー部材３４は、背もたれ部１３における幅（左右）方向の中央下部に設けられる。この第３カバー部材３４は、略矩形状の本体部３４ａの上端中央部から上方に延出されて第１カバー部材３２と縫製によって固定される中央接続片３４ｂを有している。また、第３カバー部材３４は、中央接続片３４ｂの左右方向両側において本体部３４ａの上端から上方に延出されて、前記第１カバー部材３２の前面及び第２カバー部材３３の後面間に隠蔽される左右接続片３４ｃを有している。この左右接続片３４ｃには、先端側に面ファスナが設けられ、この面ファスナが第１カバー部材３２及び第２カバー部材３３のいずれかに設けられる面ファスナと係止されることで、第３カバー部材３４が所定位置に配設されるようになっている。
【００２３】
また、カバー部３１の上下方向略中間位置よりも上側には、その前面に枕部３５が配置可能に設けられている。この枕部３５は、クッション材が表皮材にて覆われてなる枕本体３５ａと、この枕本体３５ａの後端側において前記背もたれ本体２１に固定接続される接続部３５ｂとを有している。接続部３５ｂは前記枕本体３５ａの表皮材と同一の材料にて構成され、その後端部３５ｃは、前記背もたれ本体２１のバックボード２２の最後端に固定されている。このように枕部３５はその後端部３５ｃがバックボード２２の上面後端部に固定され、その固定部分からバックボード２２の上面を亘ってカバー部３１の前面まで取り回されて枕本体３５ａの位置変更が可能に構成されている。また、枕部３５（枕本体３５ａ）がカバー部３１の前面側において最下位置に調整されている場合に、前記接続部３５ｂに皺が無いように張設されている。なお、枕部３５の最下位置と、第３カバー部材３４の本体部３４ａの上端との間には前記揉み玉２０ａが使用者の身体に当接した際に揉み玉２０ａによる押圧力を十分に伝達させるため、前記カバー部３１等のクッション材は省略若しくは薄く設定されている。
【００２４】
また本実施形態のマッサージ機１０には、座部１２に使用者の着座を検出するための静電容量式センサからなる着座検出センサ４０が設けられている。この着座検出センサ４０は、前記制御部６０と電気的に接続されるとともに、着座検出センサ４０から所定の信号が制御部６０に出力されるようになっている。また着座検出センサ４０は、座部１２の上面の前後方向長さに対して所定の長さ（例えば半分以上の長さ）を有する検出面を有している。
【００２５】
また、図１に示すように２つ設けられる肘掛け部１５のうちの一方には、その左右方向外側に置き台５０が取り付けられている。この置き台５０には図４に示すように使用者によって前記メカマッサージ機構２０、エアマッサージ機構２５、リクライニング機構１６及び上下動機構１７の駆動を制御する制御部６０に対して指令信号を発する操作部５１と電気的に接続されている。
【００２６】
操作部５１には、図４に示すように使用者の使用頻度の高いメインスイッチ群５２と、使用者の使用頻度の低いサブスイッチ群５３と、音声又は音を出力するスピーカ５４と、複数の発光素子を有する光源部５５と、現時点の施療部位等の表示が可能な表示部５６とを有している。ここで、「メインスイッチ群」とは、例えば、オンオフスイッチ５２ａ、緊急停止スイッチ５２ｂ、自動コース選択スイッチ５２ｃ、リクライニング調整スイッチ５２ｄ、オットマン調整スイッチ５２ｅのことである。また、「サブスイッチ群」とは、揉み玉２０ａやエアバッグの押圧力や揉み玉２０ａの位置を調整する調整スイッチ５３ａ、光源オンオフスイッチ５３ｂ、音声オンオフスイッチ５３ｃ、一部の身体部位のみをマッサージするためのお好みスイッチ５３ｄのことである。
【００２７】
操作部５１に設けられる光源部５５は、例えば波長（発色）の異なる複数の発光素子から構成されている。なお、本実施形態では、赤、青、緑の３色が独立して発光可能な発光素子にて構成されるとともに、これらの発光素子を制御部６０にて制御することで様々な色を作り出すことができるようになっている。また、光源部５５は前述の光源オンオフスイッチ５３ｂによってオフ設定されている場合は、光源部５５による発光が禁止されるようになっている。
【００２８】
操作部５１に設けられるスピーカ５４は、図示しないメモリに予め記憶された音声データ等を出力するためのものであり、本実施形態では例えば操作部５１の操作方法を報知するためのものである。
【００２９】
次に、上記のように構成されたマッサージ機１０の一動作例について説明する。
図示しない商用電源と接続された状態のマッサージ機１０において、制御部６０は着座検出センサ４０によって使用者の着座が検出されると、操作部５１の一部である光源部５５の発光素子点灯若しくは点滅させる。これによって使用者に対して確実に着座したことを報知することができる。これと同時に、制御部６０は、着座した旨の報知を音声によりスピーカ５４から報知するようになっている。また制御部６０は、図示しない自身のメモリに予め記憶された音声データによって使用者に対して操作部５１の使用方法を報知するようになっている。具体的には、制御部６０は、着座検出センサ４０によって着座検出されると、予め前記メモリ内に記憶された音声データを用いて「マッサージを行う場合には、操作部のオンオフスイッチを押してください。」といった操作部５１の操作方法のアナウンスをスピーカ５４から報知させる。
【００３０】
また、制御部６０は着座検出センサ４０によって着座検出された後に、例えば操作部５１のオンオフスイッチ５２ａが押下されるまで、前記メカマッサージ機構２０、エアマッサージ機構２５、リクライニング機構１６及び上下動機構１７の駆動を停止させる動作禁止状態とする。そして、操作部５１のオンオフスイッチ５２ａが押下されると、制御部６０は、メカマッサージ機構２０、エアマッサージ機構２５、リクライニング機構１６及び上下動機構１７を駆動可能な動作許可状態に遷移させる。この動作許可状態においては、操作部５１に設けられる各スイッチ５２ａ〜５２ｅ，５３ａ〜５３ｄが操作に基づく前記各機構１６，１７，２０，２５の駆動が可能な状態とされる。このため、オンオフスイッチ５２ａを押圧して動作許可状態とされてからは、背もたれ部１３の傾動角度やオットマン１４の傾動角度を操作部５１の各スイッチ５２ｄ，５２ｅによって調整することができるようになっている。
【００３１】
そして、制御部６０は、オンオフスイッチ５２ａが操作されて、各機構１６，１７，２０，２５が動作可能な動作許可状態とされると、前記メモリ内に記憶された音声データによりスピーカ５４から操作部５１の操作方法が報知される。このため、使用者はそのスピーカ５４から出力される音声に基づいて容易に操作部５１を操作することが可能とされる。
【００３２】
また、制御部６０は、前記動作許可状態において操作部５１の例えば複数設けられる自動コース選択スイッチ５２ｃのうちのいずれかが押下されると、予めプログラムされた自動コースプログラムに沿って各機構１６，１７，２０，２５を駆動させる。また、本実施形態では操作部５１に設けられる光源部５５がマッサージ中においては点滅するようになっている。
【００３３】
次に、本実施形態の特徴的な作用効果を記載する。
（１）背もたれ部１３は、硬質部材からなる背もたれ本体２１と、この背もたれ本体２１の少なくとも前面を覆う態様で固定されるとともに背もたれ本体２１の外周縁部２１ａよりも外側に迫り出す態様のカバー部３１とを有する。このように背もたれ本体２１の前面に固定されるカバー部３１が、背もたれ本体２１の外周縁部２１ａよりも外側に迫り出す形状とされるため、使用者の身体が背もたれ本体２１の前面と接触することを抑えることができる。このため、マッサージ機１０の着座時及びマッサージ時の快適性向上に寄与することができる。
【００３４】
（２）使用者の背部を４点で支持すべく、その左右方向両側及び上下方向両側が左右方向及び上下方向中央側よりも突出する凸部３２ａ，３３ａが形成されている。このような構成により、計４箇所形成される凸部３２ａ，３３ａにて使用者の背部を４点で支持することができるため、使用者の身体のずれを抑えることが可能とされている。
【００３５】
（３）背もたれ本体２１は、カバー部３１が設けられる使用者側のバックボード２２と、このバックボード２２の後側開口部を閉塞するバックカバー２３とを有し、カバー部３１の前面に配置可能な枕部３５が備えられる。この枕部３５はその接続部３５ｂの後端部３５ｃがバックボード２２の上面後端部に固定されるとともに、その固定部分からバックボード２２の上面を亘ってカバー部３１の前面まで取り回し、枕部３５の枕本体３５ａにクッション材が内包されて位置変更可能に構成される。このような構成とすることで、例えば枕本体３５ａを使用者の身体に合わせて例えば最下位置から上方に移動させる場合に、比較的前後方向に長い接続部３５ｂによって全体的に亘って皺が生じるため、接続部３５ｂが前後方向に比較的短い場合と比較して、その意匠性の低減を抑えることができる。
【００３６】
尚、本発明の実施形態は、以下のように変更してもよい。
・上記実施形態では、枕部３５はその接続部３５ｂの後端部３５ｃが背もたれ本体２１の内の比較的後側であるバックボード２２の後端部に固定する構成としたが、これに限らず、例えば後側部材であるバックカバー２３の上面前端部に固定する構成を採用してもよい。また、これ以外の位置に接続部３５ｂの後端部３５ｃを固定する構成を採用してもよい。
【００３７】
・上記実施形態では、枕部３５の位置調整を可能に構成したが、例えばカバー部３１に固定して位置調整不能に構成してもよい。
・上記実施形態では、カバー部３１に凸部３２ａ，３３ａを形成して使用者の背部を４点で支持する構成としたが、凸部３２ａ，３３ａを省略した構成を採用してもよい。また、この凸部３２ａ，３３ａの位置は適宜変更してもよい。
【符号の説明】
【００３８】
１０…マッサージ機、１２…座部、１３…背もたれ部、２０…メカマッサージ機構（マッサージ手段）、２１…背もたれ本体、２１ａ…外周縁部、２２…バックボード（前側部材）、２３…バックカバー（後側部材）、２５…エアマッサージ機構（マッサージ手段）、３１…カバー部、３５…枕部。
【図１】
2011250840.tif 000003
【図２】
2011250840.tif 000004
【図３】
2011250840.tif 000005
【図４】
2011250840.tif 000006
【図５】
2011250840.tif 000007